(57)【要約】【課題】  工場生産が可能であると共に、軽量でかつ現場での施工が容易で、作業能率を格段に向上させた屋根の瓦葺き構造とする。【解決手段】  屋根の棟７の延長方向に所定の間隔をおいて、屋根の傾斜方向に延長する基板４を屋根下地材３に固定する。基板４上にガイドレール１及び係止部材２を屋根の傾斜方向に所定の間隔をおいて固設する。ガイドレール１をスライドし、上面に複数枚の瓦５が横一列に葺設された瓦載せ台６を係止部材２に係止する。前後に隣設する瓦載せ台６を連結する。【選択図】  図２
2006138164.tif 000002
【特許請求の範囲】
【請求項１】
屋根の棟の延長方向に所定の間隔をおいて屋根の傾斜方向に延長する基板が屋根下地材に固定され、この基板上にガイドレール及び係止部材が屋根の傾斜方向に所定の間隔をおいて固設され、このガイドレールをスライドし上面に複数枚の瓦が横一列に葺設された瓦載せ台が係止部材に係止されると共に、前後に隣接する瓦載せ台は連結されていることを特徴とする屋根の瓦葺き構造。
【請求項２】
瓦載せ台は後部下方に係止部が設けられた横長方形状の瓦載せ板と、この瓦載せ板の前部に下向きの前板と、瓦載せ板の後部に上向きの後板とを備え、前記前板に前方に向けて突起が設けられると共に、前板の下縁に前記ガイドレールに係合する係合切り欠きが形成され、後板に上段側の瓦載せ台の突起が挿入される孔が穿設され、前記係止部材は瓦載せ板の係止部が係止されるストッパーを有し、前記ガイドレールは係止部材から係止部材の下段側に延長していることを特徴とする請求項１記載の屋根の瓦葺き構造。
【発明の詳細な説明】
【技術分野】
【０００１】
本発明は、屋根の瓦葺き構造に関するものである。
【背景技術】
【０００２】
屋根の瓦葺きは現場での施工が殆どであるが、高所での作業は危険性も高く、かつ作業能率も悪く、そこで、工場生産により屋根瓦材まで組み立てた屋根下地材を現場で組み立てるようにしたユニット屋根が特開２００２ー１８０５８７の公報に、又外装部用下地材が特開２００１ー９０２７２の公報に開示されている。
【０００３】
しかし、特開２００２ー１８０５８７の公報に示されるユニット屋根は、枠状の屋根下地材とルーフィングと金属製の屋根瓦から構成され、屋根下地材も含まれる重量の大きいものであり、又特開２００１ー９０２７２の公報に示される外装部用下地材も直接建物の構造体に組み込まれるもので、屋根下地材を含む重量の大きいものである。
【０００４】
そして、これ等のユニット屋根及び外装部用下地材の建物の構造体への取り付けに際しては、釘等の止着部材で固定するが、重量の大きいユニット屋根及び外装部用下地材は取り付け作業が困難で、施工に当たり取り付け位置がずれないよう正確に固定しなければならなく、その作業に熟練を要し、かつユニット屋根同士及び外装部用下地材同士の接合部からの雨漏り対策等を講じる必要がある等、その施工は簡単なものではない。
【特許文献１】特開２００２ー１８０５８７
【特許文献２】特開２００１ー９０２７２
【発明の開示】
【発明が解決しようとする課題】
【０００５】
上記点より本発明は、工場生産が可能であると共に、軽量でかつ現場での施工が容易で作業能率を格段に向上させた屋根の瓦葺き構造を提供しようとするものである。
【課題を解決するための手段】
【０００６】
上記課題を解決するため請求項１記載の本発明屋根の瓦葺き構造は、屋根の棟の延長方向に所定の間隔をおいて屋根の傾斜方向に延長する基板が屋根下地材に固定され、この基板上にガイドレール及び係止部材が屋根の傾斜方向に所定の間隔をおいて固設され、このガイドレールをスライドし上面に複数枚の瓦が横一列に葺設された瓦載せ台が係止部材に係止されると共に、前後に隣接する瓦載せ台は連結されていることを特徴とするものである。
【０００７】
このような構成とすることにより、ガイドレール及び係止部材を基板上に固設した状態で工場生産が可能で、又瓦載せ台も上面に瓦を横一列に葺設した状態で工場生産が可能で、これ等を工場生産し、現場で作業員はガイドレール及び係止部材を固設した基板を屋根下地材に固定した後、上面に瓦を葺設した瓦載せ台をガイドレールに沿ってスライドさせ、係止部材に瓦載せ台を係止するだけの作業で下段側から上段側に簡単に施工が可能である。
【０００８】
瓦載せ台は横一列に瓦を葺設しただけのもので、屋根下地材を含まないため重量も軽いものとなる。又、前後に隣接する瓦載せ台は連結されているため、各瓦載せ台は一体化する。
【０００９】
次に、請求項２記載の本発明屋根の瓦葺き構造は、請求項１記載の屋根の瓦葺き構造において、瓦載せ台は後部下方に係止部が設けられた横長方形状の瓦載せ板と、この瓦載せ板の前部に下向きの前板と、瓦載せ板の後部に上向きの後板とを備え、前記前板に前方に向けて突起が設けられると共に、前板の下縁に前記ガイドレールに係合する係合切り欠きが形成され、後板に上段側の瓦載せ台の突起が挿入される孔が穿設され、前記係止部材は瓦載せ板の係止部が係止されるストッパーを有し、前記ガイドレールは係止部材から係止部材の下段側に延長していることを特徴とするものである。
【００１０】
このような構成とすることにより、作業員は瓦載せ台の前板に設けた係合切り欠きをガイドレールに係合し、瓦載せ台を下方に向けスライドさせれば、瓦載せ台の後部下方に設けた係止部が係止部材のストッパーに係止され、瓦載せ台の後部は固定される。
又、瓦載せ台の前部は、前板に前方に向けて設けた突起を下段側の瓦載せ台の後板に穿設された孔に挿入することにより固定される。このように瓦載せ台は釘等の止着部材を必要とせずに前後が簡単に固定される。
【発明の効果】
【００１１】
請求項１記載の本発明屋根の瓦葺き構造によれば、ガイドレール及び係止部材を基板上に固設した状態で工場生産し、瓦載せ台も上面に瓦を横一列に葺設した状態で工場生産できるので、現場で作業員はガイドレール及び係止部材を固設した基板を屋根下地材に固定した後、上面に瓦を葺設した瓦載せ台をガイドレールに沿ってスライドさせ、係止部材に瓦載せ台を係止するだけの作業であるため、瓦を一枚ずつ葺設する煩雑な作業が不要となり、屋根上での作業を短時間で容易に行え、作業能率が格段に向上する効果を有する。
【００１２】
瓦載せ台は屋根下地材を含まないので軽量であるため、屋根上での作業がし易く安全性が高い。又前後に隣接する瓦載せ台は連結されているため、各瓦載せ台は一体化し、これにより強風や振動にも耐え得る効果を有する。
尚、屋根下地材は従来通りであるので雨漏りの恐れはなく、特別の防水対策を講じる必要がない。
【００１３】
請求項２記載の本発明屋根の瓦葺き構造によれば、瓦載せ台は釘等の止着部材を必要とせずに嵌め込みにより簡単に下段側から上段側に固定できるので、屋根上での作業を簡略化でき作業能率が良いと共に、ガイドレールに沿い嵌め込みにより連結するので、取り付け位置がずれる恐れがなく、初心者でも作業が簡単に可能である効果を有する。
【発明を実施するための最良の形態】
【００１４】
以下、本発明の一実施の形態を添付図面を参照して説明する。
図１は本発明屋根の瓦葺き構造の一実施の形態を示す部分平面図、図２は同上の部分拡大断面図、図３は同上の部分拡大正面図、図４は基板の部分拡大斜視図、図５は瓦載せ台の分解斜視図である。
【００１５】
本発明屋根の瓦葺き構造は、ガイドレール１及び係止部材２を上面に有し、屋根下地材３に固定される基板４と、上面に瓦５を葺設し、係止部材２に係止される瓦載せ台６を備えている。
基板４はガイドレール１及び係止部材２を固設した状態で工場で生産され、瓦載せ台６は瓦５を葺設した状態で工場で生産され、それぞれ現場に運搬される。
【００１６】
基板４は、屋根の棟７の延長方向に所定の間隔をおいて屋根の傾斜方向に延長する長尺な金属板であり、ビス８で屋根下地材３上に固定される。
基板４上に固設されるガイドレール１及び係止部材２は、図１に示すように基板４上に左右一対固設されている。勿論、屋根の側端部に使用する場合等は一列のみでもよく、両方生産しておけば便利である。
【００１７】
係止部材２は、図４に示すように略Ｌ字形の金属片から成り、基板４の長手方向に所定の間隔をおいて、基板４とで上方に向けて溝９が形成されるよう、一方の片の先端部が基板４に溶接等により一体に固定されている。
この係止部材２の基板４と平行する片２ａに、後に説明する瓦載せ台６の係止部１５が係止されると共に、溝９の底部に係止部１５の先端が衝突し、瓦載せ台６が停止固定されるストッパーとなっている。
【００１８】
ガイドレール１は係止部材２の片２ａの上面に一部が固着され、これに連続して係止部材２の下方に延長して下縁が基板４に溶接等により固着された細長い板体により形成されている。
【００１９】
瓦載せ台６は金属製で、上面に互いに隣接する側縁が重なり合って６枚が横一列にビス１０で固定された瓦５を葺設した横長方形状の瓦載せ板１２を有し、この瓦載せ板１２の前部に一方の端部から他方の端部に亘って前板１３が一体に形成されると共に、瓦載せ板１２の後部の中央部と両端部付近の３箇所に後板１４が瓦載せ板１２と直交して固着され、この後板１４の瓦載せ板１２より上方の箇所に孔１４ａが穿設されると共に、瓦載せ板１２より下方の箇所に前方に向け係止部１５が突設されている。
係止部１５は瓦載せ板１２と平行した短片状の板体であり、この係止部１５は係止部材２の溝９の底部に先端が衝突する。
【００２０】
前板１３の前面に前方に向けて突起１６が固着されている。この突起１６は下段側の瓦載せ台６の後板１４の孔１４ａに挿入されるよう、孔１４ａに対応して前板１３の中央部と両端部付近の３箇所に突設され、瓦載せ台６の前部を下段側の瓦載せ台６の後部に固定する。
尚、最下段の瓦載せ台６の突起１６は、図２に示すように屋根下地材３の軒先の長手方向にビス１７で一片を固定した断面略Ｌ字形の前止め板１８の起立片に穿設した孔１８ａに挿入し固定される。
【００２１】
又、前板１３の下縁にガイドレール１に係合する係合切り欠き１３ａが形成されている。この係合切り欠き１３ａはガイドレール１に対応して、前板１３の下縁の中央部に基板４上のガイドレール１に対応して２箇所設けられ、前板１３の両端部付近に瓦軒先板１２の中央部の係合切り欠き１３ａと係合する前記基板４の両側に屋根の棟方向に間隔をおいて配設された基板４の一方のガイドレール１に係合するように、それぞれ１箇所ずつ設けられている。
【００２２】
瓦５は、一方の側部が隣接の瓦５の側部と重なり合うよう隆起部５ａが形成された瓦であり、横一列に瓦載せ板１２に固定された瓦群の一方の側端部は隆起部５ａが瓦載せ板１２の側部より突出している。この隆起部５ａは横に隣接の瓦載せ台６の側端部の瓦５上に重なり合う。又各瓦５の前方部も瓦載せ板１２の前部より突出している。この突出部分は前後に隣接の瓦載せ台６の瓦５の後部に重なり合う。
【００２３】
次に、このような構成を有する屋根の瓦葺き構造の施工方法を図面に基づき説明する。  作業員はガイドレール１及び係止部材２を固設た状態で工場生産された基板４と、瓦５を葺設した状態で工場生産された瓦載せ台６を現場に運搬し、屋根下地材３に基板４を棟の延長方向に所定の間隔をおいてビス８で固定する。又軒先に前止め金具１８を予めビス１７で取り付けておく。
【００２４】
次に、軒先側の側端部から瓦載せ台６の前板１３の係合切り欠き１３ａを最下段のガイドレール１に係合するが、瓦載せ台６の中央部の左右一対の係合切り欠き１３ａは基板４の左右一対のガイドレール１に係合し、両側の係合切り欠き１３ａは中央部の係合切り欠き１３ａと係合する基板４の両側に配設された基板４の一方の側のガイドレール１に係合する。
【００２５】
そして、瓦載せ台６をガイドレール１に沿って下方へスライドし、瓦載せ台６の後部下方に設けた係止部１５を上段側のガイドレール１との間の間隔部に落とし、係止部材２の片２ａに係止すると共に、前方が浮き上がった瓦載せ台６の前板１３に設けた突起１６を前止め板１８の孔１８ａに挿入すれば、係止部１５の先端が係止部材２の溝９の底部に衝突し、瓦載せ台６の前部及び後部は固定される。
【００２６】
軒先側の最下段に横方向に瓦載せ台６を前同様に順次固定した後、次に最下段の上段のガイドレール１に瓦載せ台６の係合切り欠き１３ａを前同様に係合してガイドレール１に沿って瓦載せ台６を下方へスライドし、瓦載せ台６の係止部１５を係止部材２の片２ａに係止した後、前方が浮き上がった瓦載せ台６の前板１３に設けた突起１６を今度は最下段の後板１４の孔１４ａに挿入すれば、前同様に瓦載せ台６の前部及び後部は固定され、前後の瓦載せ台６は連結する。瓦載せ台６の横方向は側端部の瓦５が重なり合い、前後方向は上段の瓦５の前方が下段の瓦５の後部上に重なり合う。
【００２７】
このようにして、横方向に瓦載せ台６を順次固定した後、以下上段側に瓦載せ台６を係止部材２に固定し、隣接する前後の瓦載せ台６を連結し、軒先側から棟７側に複数列を連結し、所望の大きさの面に形成する。
【００２８】
以上、本発明を実施の形態に基づき具体的に説明したが、本発明は上記実施形態に何ら限定されるものではなく、例えば瓦５の連結枚数は６枚に限定されるものではなく、枚数によって基板４の間隔を変えることができ、又係止部材２の片２ａの先端に瓦載せ台６の後板１４の下部前面が当たって瓦載せ台６が係止されるようにしても良い等、本発明の趣旨を逸脱しない範囲内において種々の改良、変形が可能である。
【図面の簡単な説明】
【００２９】
【図１】本発明屋根の瓦葺き構造の一実施の形態を示す部分平面図である。
【図２】図１の部分拡大縦断側面図である。
【図３】図１の部分拡大正面図である。
【図４】図１の部分拡大斜視図である。
【図５】図１の瓦載せ台の分解斜視図である。
【符号の説明】
【００３０】
１  ガイドレール
２  係止部材
３  屋根下地材
４  基板
５  瓦
６  瓦載せ台
７  棟
１２  瓦載せ板
１３  前板
１３ａ  係合切り欠き
１４  後板
１４ａ  後板の孔
１５  係止部
１６  突起
１８  前止め金具
１８ａ  前止め金具の孔
【図１】
2006138164.tif 000003
【図２】
2006138164.tif 000004
【図３】
2006138164.tif 000005
【図４】
2006138164.tif 000006
【図５】
2006138164.tif 000007